【手続補正書】
【提出日】平成22年12月9日(2010.12.9)
【手続補正１】
【補正対象書類名】特許請求の範囲
【補正対象項目名】全文
【補正方法】変更
【補正の内容】
【特許請求の範囲】
【請求項１】
１又は複数のプロセッサによって実行されるとき、前記１又は複数のプロセッサに、
複数の管理エージェントの各々を複数の所有権ドメインのうちの１つと関連付けるステップであって、前記複数の管理エージェントは、コンピュータの少なくとも一部を管理することを担当する、ステップと、
複数の管理エージェントの１つだけが、一時にコンピュータへの拡張された権利セットを有することを許可され、残りの管理デバイスに、より制限された権利セットを割り当てるステップであって、前記より制限された権利セットは、
存在する所有権ドメインを呼び出す権利と、前記コンピュータにおいてフィルタを変更する権利とを含み、前記フィルタを変更する権利は、トップレベル所有権ドメインに割り当てられた管理エージェントによって覆すことができないフィルタを追加する権利を含む、ステップと、
複数の管理エージェントに対応する管理デバイスがどの要求が、少なくとも一部分、管理エージェントの権利に基づいて実行されるかを、制限するステップと
を含む方法を実行させるコンピュータ実行可能命令を格納したことを特徴とするコンピュータ可読記録媒体。
【請求項２】
前記より制限された権利セットは、前記所有権ドメインに対する認証信用証明を変更する権利と、前記コンピュータでのマシンイベントとパケットフィルタイベントに加入する権利とを含むことを特徴とする請求項１に記載のコンピュータ可読記録媒体。
【請求項３】
前記方法は、前記拡張された権利セットを有する前記複数の管理エージェントのうちの前記１つに対応する管理デバイスからの要求に応答して前記コンピュータにおいてソフトウェアエンジンの実行を消去するステップを更に備えることを特徴とする請求項１に記載のコンピュータ可読記録媒体。
【請求項４】
１又は複数のプロセッサによって実行されるとき、前記１又は複数のプロセッサに、
複数の管理エージェントの各々を複数の所有権ドメインのうちの１つと関連付けるステップであって、前記複数の管理エージェントは、コンピュータの少なくとも一部を管理することを担当する、ステップと、
複数の管理エージェントの１つだけが、一時にコンピュータへの拡張された権利セットを有することを許可され、残りの管理デバイスに、より制限された権利セットを割り当てるステップであって、前記拡張された権利セットは、
新しい所有権ドメインを作成する権利と、システムメモリにアクセスする権利と、前記コンピュータの大容量ストレージデバイスにアクセスする権利と、前記コンピュータンフィルタを変更する権利とを含む、ステップと、
複数の管理エージェントに対応する管理デバイスがどの要求が、少なくとも一部分、管理エージェントの権利に基づいて実行されるかを、制限するステップと
を含む方法を実行させるコンピュータ実行可能命令を格納したことを特徴とするコンピュータ可読記録媒体。
【請求項５】
前記複数の管理デバイスの各々は、前記コンピュータと結合した１又は複数の管理デバイスに対応していることを特徴とする請求項４に記載のコンピュータ可読記録媒体。
【請求項６】
前記方法は、前記拡張された権利セットを有する前記複数の管理エージェントのうちの前記１つに対応する管理デバイスからの要求に応答して前記コンピュータにおいてソフトウェアエンジンの実行を開始するステップを更に備えること特徴とする請求項４に記載のコンピュータ可読記録媒体。
【請求項７】
プロセッサと、
前記プロセッサと結合し、コンピュータ実行可能命令を格納したメモリとを備え、前記コンピュータ実行可能命令が前記プロセッサによって実行されるとき、前記プロセッサに、
複数の管理エージェントの各々を複数の所有権ドメインのうちの１つと関連付けるステップであって、前記複数の管理エージェントは、コンピュータの少なくとも一部を管理することを担当する、ステップと、
複数の管理エージェントの１つだけが、一時にコンピュータへの拡張された権利セットを有することを許可され、残りの管理デバイスに、より制限された権利セットを割り当てるステップであって、前記拡張された権利セットは、
新しい所有権ドメインを作成する権利と、システムメモリにアクセスする権利と、前記コンピュータの大容量ストレージデバイスにアクセスする権利と、前記コンピュータンフィルタを変更する権利とを含む、ステップと、
複数の管理エージェントに対応する管理デバイスがどの要求が、少なくとも一部分、管理エージェントの権利に基づいて実行されるかを、制限するステップと
を実行させることを特徴とするコンピュータ。
【請求項８】
前記拡張された権利セットは、前記システムにおいてソフトウェアエンジンの実行を開始する権利と、前記システムにおいてソフトウェアエンジンの実行を停止する権利と、前記システムにおいてソフトウェアエンジンをデバッグする権利と、前記所有権ドメインに対する認証信用証明を変更する権利と、前記所有権ドメインに対するストレージキーを変更する権利と、前記システムでのエンジンイベントとマシンイベントとパケットフィルタイベントとに加入する権利とを更に含むことを特徴とする請求項７に記載のコンピュータ。
【請求項９】
前記複数の管理デバイスの各々は、前記コンピュータと結合した１又は複数の管理デバイスに対応していることを特徴とする請求項７に記載のコンピュータ。
【請求項１０】
１又は複数のプロセッサによって実行されるとき、前記１又は複数のプロセッサに、
複数の管理エージェントの各々を複数の所有権ドメインのうちの１つと関連付けるステップであって、前記複数の管理エージェントは、コンピュータの少なくとも一部を管理することを担当する、ステップと、
複数の管理エージェントの１つだけが、一時にコンピュータへの拡張された権利セットを有することを許可され、残りの管理デバイスに、より制限された権利セットを割り当てるステップであって、前記より制限された権利セットは、
存在する所有権ドメインを呼び出す権利と、前記コンピュータにおいてフィルタを変更する権利とを含み、前記フィルタを変更する権利は、トップレベル所有権ドメインに割り当てられた管理エージェントによって覆すことができないフィルタを追加する権利を含む、ステップと、
複数の管理エージェントに対応する管理デバイスがどの要求が、少なくとも一部分、管理エージェントの権利に基づいて実行されるかを、制限するステップと
を実行させることを特徴とする方法。
【請求項１１】
前記より制限された権利セットは、前記所有権ドメインに対する認証信用証明を変更する権利と、前記コンピュータでのマシンイベントとパケットフィルタイベントとに加入する権利とを含むことを特徴とする請求項１０に記載の方法。
【請求項１２】
前記方法は、前記拡張された権利セットを有する前記複数の管理エージェントのうちの前記１つに対応する管理デバイスからの要求に応答して前記コンピュータにおいてソフトウェアエンジンの実行を消去するステップを更に備えることを特徴とする請求項１０に記載の方法。
【請求項１３】
１又は複数のプロセッサによって実行されるとき、前記１又は複数のプロセッサに、
複数の管理エージェントの各々を複数の所有権ドメインのうちの１つと関連付けるステップであって、前記複数の管理エージェントは、コンピュータの少なくとも一部を管理することを担当する、ステップと、
複数の管理エージェントの１つだけが、一時にコンピュータへの拡張された権利セットを有することを許可され、残りの管理デバイスに、より制限された権利セットを割り当てるステップであって、前記拡張された権利セットは、
新しい所有権ドメインを作成する権利と、システムメモリにアクセスする権利と、前記コンピュータの大容量ストレージデバイスにアクセスする権利と、前記コンピュータンフィルタを変更する権利とを含む、ステップと、
複数の管理エージェントに対応する管理デバイスがどの要求が、少なくとも一部分、管理エージェントの権利に基づいて実行されるかを、制限するステップと
を実行させることを特徴とする方法。
【請求項１４】
前記複数の管理デバイスの各々は、前記コンピュータと結合した１又は複数の管理デバイスに対応していることを特徴とする請求項１３に記載の方法。
【請求項１５】
前記拡張された権利セットを有する前記複数の管理エージェントのうちの前記１つに対応する管理デバイスからの要求に応答して前記コンピュータにおいてソフトウェアエンジンの実行を開始するステップを更に備えること特徴とする請求項１３に記載の方法。